(57)【要約】【課題】ユーザにとって使い勝手の良い表示画面切換操作を実現する。【解決手段】電源投入後、ＣＲＴが機器本体に接続されている場合（Ａ２のＮｏ）、複数ある表示装置のうち内蔵のＬＣＤの画面表示を行う（Ａ１１）。この後、特定の切換ボタンが押されたら（Ａ１２）、ＬＣＤの画面表示からＴＶモニタの画面表示へと切り換える（Ａ１３）、この後、上記切換ボタンが押されたら（Ａ１４）、Ａ２からの処理を繰り返す。一方、上記ステップＡ２において、ＣＲＴが機器本体に接続されていない場合（Ａ２のＹｅｓ）、複数ある表示装置のうちＣＲＴの画面表示を行う（Ａ２１）。この後、上記切換ボタンが押されたら（Ａ２２）、ＣＲＴの画面表示からＴＶモニタの画面表示へと切り換える（Ａ２３）、この後、上記切換ボタンが押されたら（Ａ２４）、Ａ２からの処理を繰り返す。【選択図】    図７
2005010858.tif 000002
【特許請求の範囲】
【請求項１】
第１の表示装置と第２の表示装置とを個々に接続可能な情報機器であって、
内蔵の表示装置と、
複数のキーを有するキーボードと、
特定のボタンと、
前記キーボード上で特定のキー操作が行われる毎に、画面表示先の指定を、少なくともｉ）前記内蔵の表示装置、ｉｉ）前記第１の表示装置、ｉｉｉ）第２の表示装置、のうちの一つに所定の順序で切り換える第１の切換処理手段と、
前記第１の表示装置が接続されていない場合、前記特定のボタンが押される毎に、画面表示先の指定を、前記内蔵の表示装置と前記第２の表示装置との間で交互に切り換える第２の切換処理手段と
を具備することを特徴とする情報機器。
【請求項２】
前記第２の切換処理手段は、前記第１の表示装置が接続されている場合、前記特定のボタンが押される毎に、画面表示先の指定を、前記第１の表示装置と前記第２の表示装置との間で交互に切り換えることを特徴とする請求項１記載の情報機器。
【請求項３】
前記特定のボタンが押される毎に、所定のアプリケーションの実行と前記内蔵の表示装置への画面表示とが交互に切り換えられるよう、前記第２の切換処理手段の切換処理を設定変更するための設定処理手段を更に具備することを特徴とする請求項１又は２記載の情報機器。
【請求項４】
前記第２の表示装置は、ＴＶモニタであることを特徴とする請求項１乃至３のいずれかに記載の情報機器。
【請求項５】
前記第１の表示装置は、ＣＲＴ（Ｃａｔｈｏｄｅ  Ｒａｙ  Ｔｕｂｅ）であることを特徴とする請求項１乃至４のいずれかに記載の情報機器。
【請求項６】
前記内蔵の表示装置は、ＬＣＤ（Ｌｉｑｕｉｄ  Ｃｒｙｓｔａｌ  Ｄｉｓｐｌａｙ）であることを特徴とする請求項１乃至５のいずれかに記載の情報機器。
【請求項７】
ＣＲＴ（Ｃａｔｈｏｄｅ  Ｒａｙ  Ｔｕｂｅ）とＴＶモニタとを個々に接続可能な情報機器であって、
内蔵のＬＣＤ（Ｌｉｑｕｉｄ  Ｃｒｙｓｔａｌ  Ｄｉｓｐｌａｙ）と、
複数のキーを有するキーボードと、
特定のボタンと、
前記キーボード上で特定のキー操作が行われる毎に、画面表示先の指定を、ｉ）前記ＬＣＤ、ｉｉ）前記ＬＣＤ及び前記ＣＲＴ、ｉｉｉ）前記ＣＲＴ、ｉｖ）前記ＴＶモニタ及び前記ＬＣＤ、ｖ）前記ＴＶモニタ、のうちの一つに所定の順序で切り換える第１の切換処理手段と、
前記ＣＲＴモニタが接続されていない場合、前記特定のボタンが押される毎に、画面表示先の指定を、前記ＬＣＤと前記ＴＶモニタとの間で交互に切り換え、前記ＣＲＴモニタが接続されている場合、前記特定のボタンが押される毎に、画面表示先の指定を、前記ＣＲＴと前記ＴＶモニタとの間で交互に切り換える第２の切換処理手段と
を具備することを特徴とする情報機器。
【請求項８】
前記特定のボタンが押される毎に、所定のアプリケーションの実行と前記ＬＣＤへの画面表示とが交互に切り換えられるよう、前記第２の切換処理手段の切換処理を設定変更するための設定処理手段を更に具備することを特徴とする請求項８記載の情報機器。
【請求項９】
第１の表示装置と第２の表示装置とを個々に接続可能で、内蔵の表示装置と、複数のキーを有するキーボードと、特定のボタンとを備えた情報機器に適用される表示画面切換方法であって、
前記キーボード上で特定のキー操作が行われる毎に、画面表示先の指定を、少なくともｉ）前記内蔵の表示装置、ｉｉ）前記第１の表示装置、ｉｉｉ）第２の表示装置、のうちの一つに所定の順序で切り換える第１の切換処理を行い、
前記第１の表示装置が接続されていない場合、前記特定のボタンが押される毎に、画面表示先の指定を、前記内蔵の表示装置と前記第２の表示装置との間で交互に切り換える第２の切換処理を行う
ことを特徴とする表示画面切換方法。
【請求項１０】
前記第２の切換処理においては、前記第１の表示装置が接続されている場合、前記特定のボタンが押される毎に、画面表示先の指定を、前記第１の表示装置と前記第２の表示装置との間で交互に切り換えることを特徴とする請求項９記載の表示画面切換方法。
【請求項１１】
前記特定のボタンが押される毎に、所定のアプリケーションの実行と前記内蔵の表示装置への画面表示とが交互に切り換えられるよう、前記第２の切換処理を設定変更可能とすることを特徴とする請求項９又は１０記載の表示画面切換方法。
【請求項１２】
ＣＲＴ（Ｃａｔｈｏｄｅ  Ｒａｙ  Ｔｕｂｅ）とＴＶモニタとを個々に接続可能で、内蔵のＬＣＤ（Ｌｉｑｕｉｄ  Ｃｒｙｓｔａｌ  Ｄｉｓｐｌａｙ）と、複数のキーを有するキーボードと、特定のボタンとを備えた情報機器に適用される表示画面切換方法であって、
前記キーボード上で特定のキー操作が行われる毎に、画面表示先の指定を、ｉ）前記ＬＣＤ、ｉｉ）前記ＬＣＤ及び前記ＣＲＴ、ｉｉｉ）前記ＣＲＴ、ｉｖ）前記ＴＶモニタ及び前記ＬＣＤ、ｖ）前記ＴＶモニタ、のうちの一つに所定の順序で切り換える第１の切換処理を行い、
前記ＣＲＴモニタが接続されていない場合、前記特定のボタンが押される毎に、画面表示先の指定を、前記ＬＣＤと前記ＴＶモニタとの間で交互に切り換え、前記ＣＲＴモニタが接続されている場合、前記特定のボタンが押される毎に、画面表示先の指定を、前記ＣＲＴと前記ＴＶモニタとの間で交互に切り換える第２の切換処理を行う
ことを特徴とする表示画面切換方法。
【請求項１３】
前記特定のボタンが押される毎に、所定のアプリケーションの実行と前記ＬＣＤへの画面表示とが交互に切り換えられるよう、前記第２の切換処理を設定変更可能とすることを特徴とする請求項１２記載の表示画面切換方法。
【発明の詳細な説明】
【０００１】
【発明の属する技術分野】
本発明は、画面表示を行うべき表示装置を切り換え可能な情報機器及び表示画面切換方法に関する。
【０００２】
【従来の技術】
近年、パーソナルコンピュータ（ＰＣ）などの情報機器においては、内蔵のＬＣＤ（Ｌｉｑｕｉｄ  Ｃｒｙｓｔａｌ  Ｄｉｓｐｌａｙ）のほかに、ＣＲＴ（Ｃａｔｈｏｄｅ  Ｒａｙ  Ｔｕｂｅ）やＴＶモニタなども使用できるよう、情報機器本体の背面などにそれら表示装置をケーブル接続するための各種のインタフェース・ポート（コネクタ）が備えられている。
【０００３】
また、このような情報機器の中には、キーボード上の特定のキー操作に応じて、画面表示先の指定を順次切り換えるための機能を搭載したものもある。具体的には、キーボード上の特定のキー操作（例えば、「Ｆｎ」キーを押しながら「Ｆ５」キーの押下）が行われる毎に、画面表示先の指定を、ｉ）ＬＣＤ、ｉｉ）ＬＣＤ及びＣＲＴ、ｉｉｉ）ＣＲＴ、ｉｖ）ＴＶモニタ及びＬＣＤ、ｖ）ＴＶモニタ、のうちの一つに順次切り換えるものがある。
【０００４】
これにより、ユーザは、所望の画面表示形態を選択することができる。
【０００５】
【発明が解決しようとする課題】
ところで、ユーザは、キーボード上の特定のキー操作により画面表示先の切換を行いたいとき、内蔵のＬＣＤの画面を見ながら所望の表示装置を選択しなければならない。しかし、この切換操作では、画面表示先の指定がＣＲＴやＴＶモニタに該当するときには内蔵のＬＣＤの画面上には何も表示されない状態（真っ暗な状態）となる。このため、切換操作中において、ユーザは、現在の画面表示先が、上記ｉ）ＬＣＤ、ｉｉ）ＬＣＤ及びＣＲＴ、ｉｉｉ）ＣＲＴ、ｉｖ）ＴＶモニタ及びＬＣＤ、ｖ）ＴＶモニタのいずれに該当するのかを把握しにくいという問題がある。特に、ＴＶモニタなどの外付けの表示装置が情報機器本体に接続されていない状態で切換操作を行うと、画面表示先がいまどこになっているのかを把握することが非常に難しい。
【０００６】
本発明は上記実情に鑑みてなされたものであり、ユーザにとって使い勝手の良い表示画面切換操作を実現する情報機器及び表示画面切換方法を提供することを目的とする。
【０００７】
【課題を解決するための手段】
本発明に係る情報機器は、第１の表示装置と第２の表示装置とを個々に接続可能な情報機器であって、内蔵の表示装置と、複数のキーを有するキーボードと、特定のボタンと、前記キーボード上で特定のキー操作が行われる毎に、画面表示先の指定を、少なくともｉ）前記内蔵の表示装置、ｉｉ）前記第１の表示装置、ｉｉｉ）第２の表示装置、のうちの一つに所定の順序で切り換える第１の切換処理手段と、前記第１の表示装置が接続されていない場合、前記特定のボタンが押される毎に、画面表示先の指定を、前記内蔵の表示装置と前記第２の表示装置との間で交互に切り換える第２の切換処理手段とを具備することを特徴とする。
【０００８】
また、本発明に係る表示画面切換方法は、第１の表示装置と第２の表示装置とを個々に接続可能で、内蔵の表示装置と、複数のキーを有するキーボードと、特定のボタンとを備えた情報機器に適用される表示画面切換方法であって、前記キーボード上で特定のキー操作が行われる毎に、画面表示先の指定を、少なくともｉ）前記内蔵の表示装置、ｉｉ）前記第１の表示装置、ｉｉｉ）第２の表示装置、のうちの一つに所定の順序で切り換える第１の切換処理を行い、前記第１の表示装置が接続されていない場合、前記特定のボタンが押される毎に、画面表示先の指定を、前記内蔵の表示装置と前記第２の表示装置との間で交互に切り換える第２の切換処理を行うことを特徴とする。
【０００９】
【発明の実施の形態】
以下、図面を参照して本発明の実施形態を説明する。
【００１０】
図１は、本発明の一実施形態に係る情報機器の外観を示す斜視図である。
【００１１】
この情報機器は、例えばパーソナルコンピュータ（ＰＣ）であり、機器本体１と、ディスプレイユニット２とから構成されている。ディスプレイユニット２には。内蔵の表示装置としてのＬＣＤ（Ｌｉｑｕｉｄ  Ｃｒｙｓｔａｌ  Ｄｉｓｐｌａｙ）３（以下、単に「ＬＣＤ」と称す場合がある）が組み込まれている。ディスプレイユニット２は、機器本体１に対して解放位置と閉塞位置との間を回動自在に取り付けられている。
【００１２】
機器本体１は薄い箱形の筐体を有しており、その筐体上面には、複数のキーを有するキーボードが配置される。また、そのほかに、電源ボタン１１、インターネットボタン１２、メールボタン１３、切換ボタン１４が備えられる。これらの各ボタンは、１回押し下げる毎に、該当する処理が実行されるようになっている。
【００１３】
電源ボタン１１は、機器本体の電源投入等を行うためのボタンである。
【００１４】
インターネットボタン１２は、指定のブラウザを起動させるためのボタンである。
【００１５】
メールボタン１３は、指定のメールソフトを起動させるためのボタンである。
【００１６】
切換ボタン１４は、画面表示先の指定などを行うためのボタンである。
【００１７】
図２は、上記情報機器の内部構成の一例を示すブロック図である。
【００１８】
情報機器は、上記ＬＣＤ３や電源ボタン１１、インターネットボタン１２、メールボタン１３、切換ボタン１４のほかに、ＣＰＵ２１、ノースブリッジ２２、主メモリ２３、表示コントローラ２４、表示部２５、サウスブリッジ２６、ＨＤＤ（Ｈａｒｄ  Ｄｉｓｋ  Ｄｒｉｖｅ）２７、マルチドライブ２８、ＥＣ／ＫＢＣ（Ｅｍｂｅｄｄｅｄ  Ｃｏｎｔｒｏｌｌｅｒ／Ｋｅｙｂｏａｒｄ  Ｃｏｎｔｒｏｌｌｅｒ）３４、電源コントローラ（ＰＳＣ）３５、バッテリ３６、キーボード（ＫＢ）３７、マウス用インタフェース（Ｉ／Ｆ）３８、マウス３９、Ｉ／Ｏコントローラ４０などを備えている。
【００１９】
ＣＰＵ２１は、ＰＣ全体の制御を司るものであり、主メモリ２３をワークエリアとして使用し、ＯＳや各種アプリケーション、各種ドライバなどに関する処理を実行する。なお、上記各種アプリケーションの中には、後述する表示切換処理用アプリケーションが含まれる。また、各種ドライバの中には、映像出力端子２５Ａに接続される外部モニタであるＴＶモニタ（以下、単に「ＴＶモニタ」と称す）を制御するための表示ドライバや、ＣＲＴ出力端子２５Ｂに接続される外部モニタであるＣＲＴ（以下、単に「ＣＲＴ」と称す）を制御するための表示ドライバが含まれる。
【００２０】
ノースブリッジ２２は、ＣＰＵ２１とサウスブリッジ２６との間のブリッジ処理、主メモリ２３の制御、表示コントローラ２４の制御などを行う各種コントローラを備えている。
主メモリ２３は、ＣＰＵ２１により処理されるＯＳ、各種アプリケーション、各種ドライバなどを保持し、ＣＰＵ２１のワークエリアとして提供される。
【００２１】
表示コントローラ２４は、ＡＧＰ（Ａｃｃｅｌｅｒａｔｅｄ  Ｇｒａｐｈｉｃｓ  Ｐｏｒｔ）を介してノースブリッジ２２に接続されている。この表示コントローラ２４は、表示切換処理用アプリケーションを実行するＣＰＵ２１からの指示に応じて、ＬＣＤ３への画面表示のほか、映像出力端子２５Ａに接続されるＴＶモニタへの画面表示や、ＣＲＴ出力端子２５Ｂに接続されるＣＲＴへの画面表示などを行う。
サウスブリッジ２６は、ハブリンクを介してノースブリッジ２２に接続されており、ＬＰＣ（Ｌｏｗ  Ｐｉｎ  Ｃｏｕｎｔ）バス上の各種デバイス（ＥＣ／ＫＢＣ３４、Ｉ／Ｏコントローラなど）や、ＰＣＩ（Ｐｅｒｉｐｈｅｒａｌ  Ｃｏｍｐｏｎｅｎｔ  Ｉｎｔｅｒｃｏｎｎｅｃｔ）バス上の各種ＰＣＩデバイスや、ＩＤＥ（Ｉｎｔｅｇｒａｔｅｄ  Ｄｒｉｖｅ  Ｅｌｅｃｔｒｏｎｉｃｓ）対応のディスクドライブや、ＵＳＢデバイスなどの制御を行う各種コントローラを備えている。
【００２２】
ＨＤＤ２７は、プライマリＩＤＥに対応するデバイスとしてサウスブリッジ２６に接続されており、ＯＳや各種プログラムなどを記憶する内蔵のハードディスクを駆動する。
マルチドライブ２８は、セカンダリＩＤＥに対応するデバイスとしてサウスブリッジ２６に接続されており、リムーバブルな記録媒体であるＣＤ−ＲＯＭ、ＤＶＤ−ＲＯＭ、ＣＤ−Ｒ／ＲＷを駆動する。
【００２３】
ＥＣ／ＫＢＣ３４は、ＬＰＣバスに接続されており、電源ボタン１１の押下操作、インターネットボタン１２の押下操作、メールボタン１３の押下操作、切換ボタン１４の押下操作の検出や、電源コントローラ３５の制御、キーボード３７等の入力装置の制御などを行う。このＥＣ／ＫＢＣ３４は、組み込みコントローラであるＥＣ（Ｅｍｂｅｄｄｅｄ  Ｃｏｎｔｒｏｌｌｅｒ）とキーボードコントローラとを一体化したものである。特に、ＥＣは、ボタン類１１〜１４の押下やキーボード３７上のキーの押下があった場合にはそれらを個々に検出し、該当する操作内容をＣＰＵ２１へ通知する。
【００２４】
電源コントローラ３５は、Ｉ２Ｃバスを介してＥＣ／ＫＢＣ３４に接続されており、ＰＣ内の各部に供給する電圧を制御する。
バッテリ３６は、ＰＣの移動時など外部からの電源供給が無い場合にはＰＣ内の各部に供給する電源として使用される。
キーボード３７は、ＥＣ／ＫＢＣ３４に接続されており、各種キーの押下に対応した入力信号をＫＢＣに通知するものである。
【００２５】
マウス用インタフェース３８は、マウス３９とＥＣ／ＫＢＣ３４との間の信号のインタフェースを行うものである。
【００２６】
マウス３９は、マウス用インタフェース３８に接続されており、クリック操作などにより入力を行うものである。
【００２７】
Ｉ／Ｏコントローラ４０は、ＬＰＣバスに接続されており、外部とシリアル信号やパラレル信号の入出力制御を行う。
【００２８】
図３は、ＣＰＵ２１により実行される表示切換処理用アプリケーションの機能構成を示すブロック図である。
【００２９】
ボタン／キー押下検知部５１は、ＥＣからの所定の通知を受けることにより、特定の切換ボタン１４の押下やキーボード３７上のキーの押下（例えば、Ｆｎキー及びＦ５キーの押下）を個々に検知する部分である。
【００３０】
表示装置接続状態検知部５２は、表示ドライバから所定の通知を受けることにより、映像出力端子２５Ａに接続されるＴＶモニタや、ＣＲＴ出力端子２５Ｂに接続されるＣＲＴの接続状態（接続の有無）を検知する部分である。
【００３１】
表示切換処理部５３は、ボタン／キー押下検知部５１や表示装置接続状態検知部５２での検知結果に基づいて、表示ドライバに対して該当する表示装置の画面の表示切換を指示する部分である。この表示切換処理部５３には、第１の切換処理部５４Ａと第２の切換処理部５４Ｂとが含まれる。
【００３２】
第１の切換処理部５４Ａは、キーボード３７上で「Ｆｎキー及びＦ５キー」の押下操作が行われる毎に、画面表示先の指定を、ｉ）ＬＣＤ３、ｉｉ）ＬＣＤ３及びＣＲＴ、ｉｉｉ）ＣＲＴ、ｉｖ）ＴＶモニタ及びＬＣＤ３、ｖ）ＴＶモニタ、のうちの一つに所定の順序で切り換える処理を行うものである。
【００３３】
第２の切換処理部５４Ｂは、ＣＲＴモニタが接続されていない場合、切換ボタン１４が押される毎に、画面表示先の指定を、ＬＣＤ３とＴＶモニタとの間で交互に切り換え、ＣＲＴモニタが接続されている場合、切換ボタン１４が押される毎に、画面表示先の指定を、ＣＲＴとＴＶモニタとの間で交互に切り換える処理を行うものである。
【００３４】
ボタン機能設定処理部５５は、所定の設定画面上でのユーザによる入力操作に応じて第２の切換処理部５４Ｂの切換処理内容を設定変更するための機能である。例えば、切換ボタン１４が押される毎に、所定のアプリケーション（ワープロソフト、音楽再生ソフト、ｅｔｃ．）の実行とＬＣＤへの画面表示とが交互に切り換えられるよう設定変更することが可能である。
【００３５】
情報保持部５６は、ボタン機能設定処理部５５により設定された内容や、表示切換処理部５３により切換処理された表示装置の画面の状態などを記憶するものである。
【００３６】
図４は、第１の切換処理部５４Ａによる切換処理（第１の切換処理）の手順を示す図である。
【００３７】
第１の切換処理部５４Ａにおいては、同図に示されるように、キーボード３７上で「Ｆｎキー及びＦ５キー」の押下操作が行われる毎に、画面表示先の指定が「ＬＣＤ」（ステップＳ１）、「ＬＣＤ及びＣＲＴ」（ステップＳ２）、「ＣＲＴ」（ステップＳ３）、「ＴＶモニタ及びＬＣＤ」（ステップＳ４）、「ＴＶモニタ」（ステップＳ５）、「ＬＣＤ」（ステップＳ１）…の順番で次々と切り換わる。
【００３８】
図５は、第２の切換処理部５４Ｂによる切換処理（第２の切換処理）の手順を示す図である。
【００３９】
第２の切換処理部５４Ｂにおいては、ＣＲＴモニタが接続されていない状態では、切換ボタン１４が押される毎に、画面表示先の指定が、「ＬＣＤ」（ステップＳ１１）と「ＴＶモニタ」（ステップＳ１２）との間で交互に切り換わる。
【００４０】
一方、ＣＲＴモニタが接続されている状態では、切換ボタン１４が押される毎に、画面表示先の指定が、「ＣＲＴ」（ステップＳ２１）と「ＴＶモニタ」（ステップＳ２２）との間で交互に切り換わる。
【００４１】
上記ステップＳ１１及びＳ１２による動作と、上記ステップＳ２１及びＳ２２による動作とは、ＣＲＴモニタの接続状態に応じて動的に切り換わるようになっている。
【００４２】
図６は、ユーザがボタン機能の設定変更等を行うための設定画面を示す図である。
【００４３】
同図に示されるように、設定画面においては、「インターネットボタン」、「メールボタン」、「切換ボタン」といった各種ボタンの項目が設けられる。
【００４４】
項目「インターネットボタン」は、インターネットボタン１２が押されたときに起動すべきブラウザを指定するために設けられている。
【００４５】
項目「メールボタン」は、メールボタンが押されたときに起動すべきメールソフトを指定するために設けられている。
【００４６】
項目「切換ボタン」は、切換ボタン１４が押される毎に、「所望の処理（ブラウザ、メールソフト、ＴＶ出力、当該切換ボタンの無効化、所定のアプリケーション）の実行」と「ＬＣＤの画面表示」との切換の詳細を指定するために設けられている。ここで、上記所望の処理として、「ＴＶ出力」を指定した場合には、「ＴＶモニタ」と「ＬＣＤ」（もしくは「ＣＲＴ」）との間の切換が行われるよう設定されたことになる。
【００４７】
次に、図７のフローチャートを参照して、表示切換処理用アプリケーションによる動作を説明する。
【００４８】
情報機器の電源ボタン１１が押されると（ステップＡ１）、機器本体が起動され、ＣＲＴが情報機器本体に接続されているか否かが判定される（ステップＡ２）。
【００４９】
ＣＲＴが機器本体に接続されていないと判定された場合、複数ある表示装置のうちＬＣＤの画面表示を行う（ステップＡ１１）。この後、切換ボタン１４が押されたら（ステップＡ１２）、ＬＣＤの画面表示からＴＶモニタの画面表示へと切り換える（ステップＡ１３）、この後、切換ボタン１４が押されたら（ステップＡ１４）、ステップＡ２からの処理を繰り返す。この場合、ＴＶモニタの画面表示（ステップＡ１３）からＬＣＤの画面表示（ステップＡ１１）もしくはＣＲＴの画面表示（ステップＡ２１）へと切り換わることになる。
【００５０】
一方、上記ステップＡ２において、ＣＲＴが機器本体に接続されていると判定された場合、複数ある表示装置のうちＣＲＴの画面表示を行う（ステップＡ２１）。この後、切換ボタン１４が押されたら（ステップＡ２２）、ＣＲＴの画面表示からＴＶモニタの画面表示へと切り換える（ステップＡ２３）、この後、切換ボタン１４が押されたら（ステップＡ２４）、ステップＡ２からの処理を繰り返す。この場合、ＴＶモニタの画面表示（ステップＡ２３）からＬＣＤの画面表示（ステップＡ１１）もしくはＣＲＴの画面表示（ステップＡ２１）へと切り換わることになる。
【００５１】
このように本実施形態によれば、ユーザはＦｎキー及びＦ５キーの組合せによる画面切換操作のほかに、特定の切換ボタン１４による画面切換操作を行うことが可能なので、所望の操作方式を自由に選択でき、使い勝手が向上する。また、切換ボタン１４を用いれば、ＴＶモニタなどの外付けの表示装置が機器本体に接続されていない場合に切換操作を行っても、ユーザは個々の画面表示形態をすぐに把握することができる。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５３】
【発明の効果】
以上詳記したように本発明によれば、ユーザにとって使い勝手の良い表示画面切換操作を実現することができる。
【図面の簡単な説明】
【図１】本発明の一実施形態に係る情報機器の外観を示す斜視図。
【図２】情報機器の内部構成の一例を示すブロック図。
【図３】ＣＰＵにより実行される表示切換処理用アプリケーションの機能構成を示すブロック図。
【図４】第１の切換処理部による切換処理（第１の切換処理）の手順を示す図。
【図５】第２の切換処理部による切換処理（第２の切換処理）の手順を示す図。
【図６】ユーザがボタン機能の設定変更等を行うための設定画面を示す図。
【図７】表示切換処理用アプリケーションによる動作を示すフローチャート。
【符号の説明】
１…機器本体、２…ディスプレイユニット、３…ＬＣＤ、１１…電源ボタン、１２…インターネットボタン、１３…メールボタン、１４…切換ボタン、２１…ＣＰＵ、２２…ノースブリッジ、２３…主メモリ、２４…表示コントローラ、２５…表示部、２６…サウスブリッジ、２７…ＨＤＤ、２８…マルチドライブ、３４…ＥＣ／ＫＢＣ、３５…電源コントローラ（ＰＳＣ）、３６…バッテリ、３７…キーボード（ＫＢ）、３８…マウス用インタフェース（Ｉ／Ｆ）、３９…マウス、４０…Ｉ／Ｏコントローラ、５１…ボタン／キー押下検知部、５２…表示装置接続状態検知部、５３…表示切換処理部、５４Ａ…第１の切換処理部、５４Ｂ…第２の切換処理部、５５…ボタン機能設定処理部、５６…情報保持部。
【図１】
2005010858.tif 000003
【図２】
2005010858.tif 000004
【図３】
2005010858.tif 000005
【図４】
2005010858.tif 000006
【図５】
2005010858.tif 000007
【図６】
2005010858.tif 000008
【図７】
2005010858.tif 000009